(57)【特許請求の範囲】
【請求項１】
中間免震建物に用いるエレベータの出入口の構造において、エレベータシャフト（Ｓ）の壁面（１２）に長穴（１ａ）が形成された取り付け部材（１）を固着し、支持部材（５）を構成する一対のアーム（３Ａ、３Ｂ）の一端部を前記長穴（１ａ）に係止し、その他端部をピン（４）でガイドレール（１１）に枢着し、外方に付勢されたバネ（２３）を内挿し菱形形状のパンタグラフ状の案内アーム（２０）の一端を、内扉（１５）を有するケージ（１３）の側面に固着し、案内アーム（２０）の他端に設けたガイドローラ（２１）を前記ガイドレール（１１）に係合し、建物側の出入口（Ｇ）を形成する枠体（３０）をエレベータシャフト（Ｓ）内を水平方向に変位可能に設け、該枠体（３０）を前記ガイドレール（１１）に連結部材（３２）および連結アーム（３３）により連結し、床面プレート（３６）の一端部を枠体（３０）に固着し、その他端部を建物床面（３７）の下側に水平方向に摺動可能に挿入したことを特徴とする中間免震建物のエレベータ出入口の構造。
【発明の詳細な説明】
【０００１】
【発明の属する技術分野】
本発明は、中間免震建物に用いるエレベータの出入口の構造に関する。
【０００２】
【従来の技術】
中間免震建物においては、免震機構の上層階と下層階との間で水平方向に約２５０ｍｍの相対変位が生じ、したがって、エレベータはそれに対応できなければならない。しかし、従来のエレベータでは、エレベータケージを案内するガイドレールがエレベータシャフトに対して固設されており、したがって、上下層階の相対変位に伴ってガイドレールは変形し、その範囲が弾性域を越えて塑性変形を起こし、ガイドローラが外れる恐れがあった。
【０００３】
そこで、上層階と下層階とで支持されたガイドレールを、ある程度の自由度を持たせて支持し、その変位に対処することが考えられる。しかし、このようにガイドレールの支持に自由度を持たせると、それに案内されるケージと出入口との間に相対的な位置のずれが生じ、出入りの困難、あるいは出入りの際に危険が生じることとなる。
【０００４】
例えば、特開平９−２７８３１４号公報には、ガイドレールを滑り支持装置を介して取り付け、ガイドレールが建物の変位に追従しないように動作するエレベータが提案されている。しかし、この技術においては、ガイドレールの変位に伴う出入口の対応に関して配慮されていない。
【０００５】
【発明が解決しようとする課題】
そこで、本発明は、中間免震建物に用いるエレベータにおいて、その上下階層のガイドレールの支持方法に自由度を持たせた場合に生じるケージと出入口との間の相対的な位置のずれに対応して出入りの困難、あるいは危険が生じることのない中間免震建物対応エレベータの出入口の構造を提供することを目的としている。
【０００６】
【課題を解決するための手段】
本発明によれば、中間免震建物に用いるエレベータの出入口の構造において、エレベータシャフト（Ｓ）の壁面（１２）に長穴（１ａ）が形成された取り付け部材（１）を固着し、支持部材（５）を構成する一対のアーム（３Ａ、３Ｂ）の一端部を前記長穴（１ａ）に係止し、その他端部をピン（４）でガイドレール（１１）に枢着し、外方に付勢されたバネ（２３）を内挿し菱形形状のパンタグラフ状の案内アーム（２０）の一端を、内扉（１５）を有するケージ（１３）の側面に固着し、案内アーム（２０）の他端に設けたガイドローラ（２１）を前記ガイドレール（１１）に係合し、建物側の出入口（Ｇ）を形成する枠体（３０）をエレベータシャフト（Ｓ）内を水平方向に変位可能に設け、該枠体（３０）を前記ガイドレール（１１）に連結部材（３２）および連結アーム（３３）により連結し、床面プレート（３６）の一端部を枠体（３０）に固着し、その他端部を建物床面（３７）の下側に水平方向に摺動可能に挿入している。
【０００７】
したがって、本発明によれば、中間免震建物の免震機構が作用してその免震機構の上下層階間に相対変位が生じた場合に、ガイドレールはブラケットによって水平方向に相対変位が可能であるので緩やかに弾性変形する。そして、そのガイドレールの変形に伴うケージと建物側出入口との相対変位は、外部扉を支持する枠体が連結材によってガイドレールの変位に追従し、また、出入口の床面プレートも連結材で連結されて枠体に追従するので、隙間を生じるようなことはなく、エレベーターの出入りは支障なく行える。
【０００８】
【発明の実施の形態】
以下、図面を参照して本発明の実施形態を説明する。
図１において、エレベータシャフトＳの壁面１２にはブラケット１０が固着されており、後記するリンク機構を介してその先端部にシャフトＳ内を上下方向に延びるガイドレール１１が水平方向に対して変位可能に支持されている。
【０００９】
また、内扉１５を有するエレベータケージ１３は、その側面に固着された複数の案内アーム２０によって前記ガイドレール１１に案内され、上下移動可能に設けられている。
【００１０】
建物側の出入口Ｇを形成する枠体３０は、エレベータシャフトＳ内を水平方向に変位可能に設けられており、その内部に外部扉３１を支持している。そして、枠体３０の両側面にはバネを内挿した菱形状のパンダグラフで構成された連結アーム３３（図３参照）の一端が固着され、さらにその連結アーム３３はその直角方向に連結材３２によってガイドレール１１側に接続されている。
【００１１】
したがって、枠体３０はガイドレール１１の変位に追従し、ケージ１３の内扉１５と対向する枠体３０の外部扉３１との関係位置は一定に保たれている。
【００１２】
また、枠体３０に一端部が固着された床面プレート３６は、その他端部が建物側床面３７の下側に矢印Ｘで示す水平方向に摺動可能に挿入されており、枠体３０の変位に伴う建物側床面と隙間が生じないように構成されている。
【００１３】
図２および図３には、ガイドレール１１を支持するブラケット１０、およびケージ１３をガイドレール１１に沿って案内する案内アーム２０の詳細が示されている。
ブラケット１０は、シャフト壁面１２に固着された取り付け部材１と、その上面の長穴１ａに係止された一対の支持アーム３Ａ、３Ｂと、その支持アーム３Ａ、３Ｂ先端部にピン４で枢着されてガイドレール１１を支持する支持部材５とで構成されている。そして、支持アーム３Ａ、３Ｂは先端ピン枢着部を頂点ａとし、取り付け部材係止点ｂ、ｃを底辺とした三角形状のリンク機構に形成され、一対のバネ８、８によって定位置に保持されており、ガイドレール１１の変位Ｌに対して取り付け部材係止点ｂｃ間距離の変化によって対応している。
【００１４】
また、一端がケージ１３の側面に固着された案内アーム２０は、外方に付勢されたバネ２３を内挿し、菱形形状のパンダグラフを形成してリンク機構が構成されており、水平方向に少なくともＬ／２まで変位可能であって、その先端にガイドレール１１に沿って案内されるガイドローラ２１が設けられている。
【００１５】
ガイドレール１１およびそれに案内されるケージ１３は、上記のように水平方向の相対変位を許容し、建物の免震機構の作用に対応しているが、このようにケージ１３が水平方向に変位すれば、建物との相対位置、特に出入口との関係位置がそのままでは変化することになる。
【００１６】
図１に戻って、ケージ１３が図中に鎖線で示す位置Ａに変位した場合に、枠体３０および内枠３９ａは連結材３２によって、矢印Ｘ方向に対して追従し、その直角方向に対しては、連結アーム３３のパンダグラフ機構で対応する。したがって、ケージ１３の内扉１５と外部扉３１との対向位置は変化することはない。また、建物のエレベータホールと枠体３０との連結部は、外枠３８に沿って内枠３０ａが移動すると共に床面プレート３６が床面３７の下面を摺動して枠体３０に追従するのでエレベーターの出入りを支障なく行うことができる。
【００１７】
【発明の効果】
本発明は、以上説明したように構成されており、ガイドレールの相対変位に対して外部扉を支持する枠体がその変位に追従するのでケージと建物との出入口の関係位置は保持され、出入りに支障が生じることがない。したがって、ガイドレールの支持方法に自由度を持たせ、ガイドレールを緩やかに弾性変形させることができ、中間免震建物対応して安全確実に運行できるエレベータを構築することができる。
【図面の簡単な説明】
【図１】本発明のエレベータ出入口の構造を示す平断面図。
【図２】ケージの案内およびガイドレールの支持機構を示す平面図。
【図３】図２の側面図。
【符号の説明】
１０・・・ブラケット
１１・・・ガイドレール
１２・・・エレベータシャフト壁面
１３・・・エレベータケージ
１５・・・内扉
２０・・・案内アーム
３０・・・出入口枠体
３１・・・外部扉
３２・・・連結材
３３・・・連結アーム
３６・・・床面プレート
【図１】
0003727204.tif 000002
【図２】
0003727204.tif 000003
【図３】
0003727204.tif 000004